(57)【要約】【課題】液漏れ防止及び防水機能を備えるとともに、押圧ヘッドを容易に組み付けることができるボディシャンプー用ノズル装置を提供する。【解決手段】ボディシャンプー用ノズル装置は、押圧ヘッド１、密封部材２、押圧レバー３、ピストンアセンブリ４、弾性体５、シリンダ体６、バルブ部材７を備える。押圧ヘッド１は、ノズル１１と、第１の結合部と、第１の結合部の外周に周設されて上から下方向へかけて延びた延伸部１３とを有する。延伸部１３と第１の結合部との間に嵌合部が形成され、嵌合部に隣接した上方内縁に突状環面が設けられる。密封部材２は、中空栓部材であるとともに内管部２１及び防水部２２を有する。内管部２１は、嵌合部に内嵌され、内管部２１の先端縁が突状環面に嵌合されて気密状態に形成される。内管部２１内には、第１の螺着部が設けられる。【選択図】図１
0003180351.tif 000002
【実用新案登録請求の範囲】
【請求項１】
押圧ヘッド、密封部材、押圧レバー、ピストンアセンブリ、弾性体、シリンダ体、バルブ部材を備えたボディシャンプー用ノズル装置であって、
前記押圧ヘッドは、ノズルと、第１の結合部と、前記第１の結合部の外周に周設して上から下方向へかけて延びた延伸部と、を有し、前記延伸部と前記第１の結合部との間に嵌合部を有し、前記嵌合部に隣接した上方内縁に突状環面を有し、
前記密封部材は、中空栓部材であるとともに内管部及び防水部を有し、前記内管部は、前記嵌合部に内嵌し、前記内管部の先端縁が前記突状環面に嵌合して気密状態にされ、前記内管部内には、第１の螺着部を有し、前記防水部は、前記内管部の外縁に周設し、前記防水部の内壁が前記密封部材の外縁より高くされ、
前記押圧レバーは、中空管状を呈するとともに前記密封部材に貫設し、第１の杆体、第２の杆体及び係合部を含み、前記第１の杆体は、第２の結合部及び第２の螺着部を有し、前記押圧レバーが、前記第２の結合部と前記第１の結合部との組み合わせにより前記押圧ヘッドに結合し、前記第２の螺着部と前記第１の螺着部とが螺着し、
前記ピストンアセンブリは、ピストン部材及び主杆を含み、前記ピストン部材は、中空リング体が前記第２の杆体に外嵌し、一端に当接環部を有し、前記主杆は、前記第２の杆体内に貫設し、前記係合部と前記第２の杆体とが結合し、前記主杆は係止部を有し、前記係止部は、前記当接環部へ着脱自在に当接するとともに、前記当接環部との間に原料投入口を有し、前記主杆は、外縁に設けられた複数の軸方向の案内溝と、底部に設けられた栓部と、を有し、
前記弾性体は、前記押圧レバーの外縁に外嵌し、一方の端部が前記内管部の底縁に当接し、
前記シリンダ体は、前記密封部材が嵌合されると、前記密封部材との間に結合蓋が挟設し、前記シリンダ体は、第１のシリンダ、第２のシリンダ及びテーパ部を有し、前記第１のシリンダの内壁面に、往復運動可能な前記ピストン部材が接触してキャビティを形成し、前記第１のシリンダと前記第２のシリンダとの間に前記テーパ部を有し、前記栓部と嵌合されて密封状態にされ、
前記バルブ部材には、前記第２のシリンダの前記原料投入口が当接することを特徴とするボディシャンプー用ノズル装置。
【請求項２】
前記バルブ部材は、螺旋状を呈するとともに、前記原料投入口に対して上方へ移動して開いたり下方へ移動して閉まる往復運動を行うことを特徴とする請求項１に記載のボディシャンプー用ノズル装置。
【請求項３】
前記結合蓋の内縁には、瓶口が螺着するネジ山を有することを特徴とする請求項１に記載のボディシャンプー用ノズル装置。
【請求項４】
前記シリンダ体の前記原料投入口には、吸入管が接合することを特徴とする請求項１に記載のボディシャンプー用ノズル装置。
【請求項５】
前記バルブ部材は、弾性を備えた中空状の螺旋部を有し、前記原料投入口の端部に設けられた前記係合部により前記原料投入口が当接し、前記第２のシリンダ側の端部に設けられた貫通孔を有することを特徴とする請求項１に記載のボディシャンプー用ノズル装置。
【請求項６】
前記防水部は凹溝であることを特徴とする請求項１に記載のボディシャンプー用ノズル装置。
【請求項７】
前記延伸部には、通気孔を有することを特徴とする請求項１に記載のボディシャンプー用ノズル装置。
【請求項８】
前記主杆は、細長端部を有し、
前記細長端部は、前記係合部へ摺動自在に貫設されるとともにスライドを有し、
前記スライドは、開始定位点及び終止定位点を有することを特徴とする請求項１に記載のボディシャンプー用ノズル装置。
【請求項９】
前記係合部が前記スライドの前記開始定位点から前記終止定位点まで摺動する行程は、１回のサックバック行程であることを特徴とする請求項８に記載のボディシャンプー用ノズル装置。
【考案の詳細な説明】
【技術分野】
【０００１】
本考案は、ボディシャンプー用ノズル装置に関し、特に、液漏れ防止及び防水機能を備えるとともに、押圧ヘッドを容易に組み付けることができるボディシャンプー用ノズル装置に関する。
【背景技術】
【０００２】
人々が日常生活で使用する液体などを収容する容器（例えば、ボディシャンプー用容器、化粧水用容器、身体清浄用品の容器など）の大部分は、ディスペンサ容器と分離して設計された押圧ヘッドがその上に設けられ、ユーザがノズル上に設けられた押圧ヘッドを押圧することにより容器内の液体を汲み取ることができる。ボディシャンプーのノズルは、関連メーカの継続的な努力により、すでに多くの欠点が改善されているが、従来の構造設計には依然として以下（１）〜（３）のような問題点及び欠点が存在した。
（１）図７に示すように、従来のノズル装置２００の押圧ヘッド２０１は、物に当たったり不用意に押圧されたときに液体が漏れることを防ぐことができるが、組み立てる際、まず、押圧ヘッド２０１を押下して下方の容器本体２０２に螺着し、押圧ヘッド２０１が押下されると、従来のノズル装置２００内のピストン２０３が開いて液流路２０４にスムーズに流入するが、容器本体２０２が不用意に倒された場合、容器本体２０２内の液体が液流路２０４又は隙間から漏れ出す虞がある。
（２）図８に示すように、従来のノズル装置２００が防水機能を備えていないため、直接接続された箇所である隙間から水が浸入して容器内の液体が変質する虞がある。
（３）図９に示すように、従来のノズル装置２００は、容器本体２０２と分離されて設計されているため、従来のノズル装置２００を組み立てる際、押圧ヘッド２０１を最後に押圧レバー２０５に取り付けられることが一般的であるが、従来の押圧レバー２０５は、固定されていないために揺れ易く、スプリング２０６と反対方向へ弾力作用が働くため、押圧ヘッド２０１を螺着させることが非常に困難である上、組み立てる際、力の加え方が不適切である場合、押圧ヘッド２０１を損壊させる虞もある。
【０００３】
そのため、液漏れ防止、防水機能を備えるとともに、押圧ヘッドを容易に組み付けることができるボディシャンプー用ノズル装置が求められていた。
【考案の概要】
【考案が解決しようとする課題】
【０００４】
本考案の主な目的は、液漏れ防止及び防水機能を備えるとともに、押圧ヘッドを容易に組み付けることができるボディシャンプー用ノズル装置を提供することにある。
【課題を解決するための手段】
【０００５】
上記課題を解決するために、本考案の第１の形態によれば、押圧ヘッド、密封部材、押圧レバー、ピストンアセンブリ、弾性体、シリンダ体、バルブ部材を備えたボディシャンプー用ノズル装置であって、前記押圧ヘッドは、ノズルと、第１の結合部と、前記第１の結合部の外周に周設されて上から下方向へかけて延びた延伸部と、を有し、前記延伸部と前記第１の結合部との間に嵌合部が形成され、前記嵌合部に隣接した上方内縁に突状環面が設けられ、前記密封部材は、中空栓部材であるとともに内管部及び防水部を有し、前記内管部は、前記嵌合部に内嵌され、前記内管部の先端縁が前記突状環面に嵌合されて気密状態に形成され、前記内管部内には、第１の螺着部が設けられ、前記防水部は、前記内管部の外縁に周設され、前記防水部の内壁が前記密封部材の外縁より高く形成され、前記押圧レバーは、中空管状を呈するとともに前記密封部材に貫設され、第１の杆体、第２の杆体及び係合部を含み、前記第１の杆体は、第２の結合部及び第２の螺着部を有し、前記押圧レバーが、前記第２の結合部と前記第１の結合部との組み合わせにより前記押圧ヘッドに結合され、前記第２の螺着部と前記第１の螺着部とが螺着され、前記ピストンアセンブリは、ピストン部材及び主杆を含み、前記ピストン部材は、中空リング体が前記第２の杆体に外嵌され、一端に当接環部が設けられ、前記主杆は、前記第２の杆体内に貫設され、前記係合部と前記第２の杆体とが結合され、前記主杆は係止部を有し、前記係止部は、前記当接環部へ着脱自在に当接されるとともに、前記当接環部との間に原料投入口が設けられ、前記主杆は、外縁に設けられた複数の軸方向の案内溝と、底部に設けられた栓部と、を有し、前記弾性体は、前記押圧レバーの外縁に外嵌され、一方の端部が前記内管部の底縁に当接され、前記シリンダ体は、前記密封部材が嵌合されると、前記密封部材との間に結合蓋が挟設され、前記シリンダ体は、第１のシリンダ、第２のシリンダ及びテーパ部を有し、前記第１のシリンダの内壁面に、往復運動可能な前記ピストン部材が接触されてキャビティが形成され、前記第１のシリンダと前記第２のシリンダとの間に前記テーパ部が設けられ、前記栓部と嵌合されて密封状態に形成され、前記バルブ部材には、前記第２のシリンダの前記原料投入口が当接されることを特徴とするボディシャンプー用ノズル装置が提供される。
【０００６】
前記バルブ部材は、螺旋状を呈するとともに、前記原料投入口に対して上方へ移動して開いたり下方へ移動して閉まる往復運動を行うことが好ましい。
【０００７】
前記結合蓋の内縁には、瓶口が螺着されるネジ山が形成されることが好ましい。
【０００８】
前記シリンダ体の前記原料投入口には、吸入管が接合されることが好ましい。
【０００９】
前記バルブ部材は、弾性を備えた中空状の螺旋部を有し、前記原料投入口の端部に設けられた前記係合部により前記原料投入口が当接され、前記第２のシリンダ側の端部に設けられた貫通孔を有することが好ましい。
【００１０】
前記防水部は凹溝であることが好ましい。
【００１１】
前記延伸部には、通気孔が設けられていることが好ましい。
【００１２】
前記主杆は、細長端部を有し、前記細長端部は、前記係合部へ摺動自在に貫設されるとともにスライドを有し、前記スライドは、開始定位点及び終止定位点を有することが好ましい。
【００１３】
前記係合部が前記スライドの前記開始定位点から前記終止定位点まで摺動する行程は、１回のサックバック行程であることが好ましい。
【考案の効果】
【００１４】
本考案のボディシャンプー用ノズル装置は、以下（１）〜（４）の効果を有する。
（１）内管部の外縁に周設した防水部に水を留めるとともに、防水部の内壁を密封部材の外縁より高くすることにより、ボディシャンプー用ノズル装置が通気孔を介して外部と通気し、防水部に溜まった水が吸収されることを防ぎ、これにより、外部から液体及び水が浸入して液体と接触することを防ぎ、ノズル内の液体が変質したり汚染したりすることを防ぐことができる防水効果を得る。
（２）取り付けた押圧ヘッドが押下されると、密封部材の第１の螺着部と押圧レバーの第２の螺着部とが当接され、これにより、押圧レバー自体を固定させて押圧ヘッドを容易に組み付けることができるため、大きな力を加えることにより押圧ヘッドが損壊させる虞がない。
（３）押圧ヘッドと下方の容器とが螺着されると、主杆の栓部とシリンダ体のテーパ部とが密封され、内管部の先端縁と突状環面とが嵌合されて気密状態に形成され、これにより、容器が不用意に倒れても容器内の液体が液流路又は間隙を介して漏れることを防ぐことができる。
（４）弾性体を押圧レバーの外縁に外嵌させ、液体が押圧レバー内部の中空管路を介して送られ、バルブ部材が、従来の鋼球ではなく、弾性を備えた中空状の螺旋状プラスチック製バルブであるため、金属製物体と化学液体とが接触することを効果的に防いで腐食したり錆たりすることを防ぐことができる上、液体が弾性体及びバルブ部材により汚染されることを防ぐこともできる。
【図面の簡単な説明】
【００１５】
【図１】図１は、本考案の一実施形態に係るボディシャンプー用ノズル装置を示す分解斜視図である。
【図２】図２は、本考案の一実施形態に係るボディシャンプー用ノズル装置を示す断面図である。
【図３】図３は、本考案の一実施形態に係るボディシャンプー用ノズル装置の動作状態を示す断面図である。
【図４】図４は、本考案の一実施形態に係るボディシャンプー用ノズル装置の防水状態を示す断面図である。
【図５】図５は、本考案の一実施形態に係るボディシャンプー用ノズル装置の液漏れを防ぐ状態を示す断面図である。
【図６】図６は、本考案の一実施形態に係るボディシャンプー用ノズル装置の押圧ヘッドを組み付けるときの状態を示す断面図である。
【図７】図７は、従来のノズル装置の液漏れ防止状態を示す断面図である。
【図８】図８は、従来のノズル装置へ水が浸入するときの状態を示す断面図である。
【図９】図９は、組み付けが困難な従来のノズル装置の押圧ヘッドを示す断面図である。
【図１０】図１０は、本考案の一実施形態に係るボディシャンプー用ノズル装置のサックバック行程を示す断面図である。
【考案を実施するための形態】
【００１６】
以下、本考案の実施形態について図に基づいて説明する。なお、これによって本考案が限定されるものではない。
【００１７】
本考案のボディシャンプー用ノズル装置は、シリンダ及びピストンを利用して液体を汲み取る関連作用及び原理に関しては、当業者であれば容易に理解することができるため、以下では詳述しない。なお、以下の説明で参照する図面は、本考案の特徴に関わる構造を示しているだけであり、実際の寸法と完全に同じでなくともよいことを、ここで予め述べておく。
【００１８】
図１及び図２を参照する。図１は、本考案の一実施形態に係るボディシャンプー用ノズル装置を示す分解斜視図である。図２は、本考案の一実施形態に係るボディシャンプー用ノズル装置を示す断面図である。図１及び図２に示すように、本考案の一実施形態に係るボディシャンプー用ノズル装置１００は、少なくとも押圧ヘッド１、密封部材２、押圧レバー３、ピストンアセンブリ４、弾性体５、シリンダ体６、バルブ部材７及び結合蓋８から構成される。
【００１９】
押圧ヘッド１は、ノズル１１と、第１の結合部１２と、第１の結合部１２の外周に周設されて上から下方向へかけて延びた延伸部１３と、を有する。延伸部１３は、第１の結合部１２との間に嵌合部１４が形成され、嵌合部１４に隣接した上方内縁に、突状環面１４１が設けられてノズル１１から液体が噴出される。
【００２０】
密封部材２は、中空栓部材であり、内管部２１及び防水部２２を有する。内管部２１は嵌合部１４に内嵌される。内管部２１は、先端縁が突状環面１４１と嵌合されて気密状態に形成され、内管部２１内に第１の螺着部２１１が設けられる。防水部２２は、内管部２１の外縁に周設される。本実施形態の防水部２２は、水を留めておくことができる凹溝に形成され、防水部２２の内壁が密封部材２の外縁より高いため水が浸入することを防ぐことができる。
【００２１】
押圧レバー３は、中空管状を呈し、密封部材２の内管部２１に貫設させ、第１の杆体３１、第２の杆体３２及び係合部３３を含む。第１の杆体３１は、第２の結合部３１１及び第２の螺着部３１２を有する。押圧レバー３は、第１の結合部１２と第２の結合部３１１との組み合わせにより押圧ヘッド１と結合され、第２の螺着部３１２と第１の螺着部２１１とが螺着される。
【００２２】
ピストンアセンブリ４は、ピストン部材４１及び主杆４２を含む。ピストン部材４１は、中空リング体が第２の杆体３２に外嵌され、一端に設けられた当接環部４１１を有する。主杆４２は、第２の杆体３２内に貫設され、係合部３３と第２の杆体３２とが結合され、主杆４２は係止部４２３を有する。係止部４２３は、当接環部４１１へ着脱自在に当接されるとともに、当接環部４１１との間に原料投入口４３（図３参照）が形成される。主杆４２の底部には、栓部４２１と、外縁に形成されて液体を流すために用いる複数の軸方向の案内溝４２２と、が設けられている。
【００２３】
弾性体５は、押圧レバー３の外縁に外嵌され、一方の端部が内管部２１の底縁に当接され、他方の端部が内管部２１の先端縁に当接される。
【００２４】
シリンダ体６は、密封部材２が嵌合されると、密封部材２との間に結合蓋８が挟設される。シリンダ体６は、第１のシリンダ６１、第２のシリンダ６２及びテーパ部６３を有する。本実施形態の第１のシリンダ６１は、第２のシリンダ６２より大きい。第１のシリンダ６１の内壁面には、往復運動が可能なピストン部材４１が接触され、この構成により第１のシリンダ６１にキャビティ９が形成される。テーパ部６３は、第１のシリンダ６１と第２のシリンダ６２との間に設けられ、結合蓋８の内縁には、瓶口が螺着されるネジ山８１が形成される。
【００２５】
バルブ部材７には、第２のシリンダ６２の原料投入口６２１が当接される。原料投入口６２１には、吸入管６２２が接合され、この吸入管６２２により容器１０内の液体（図３参照）を汲み取る（図３参照）。本実施形態のバルブ部材７は、螺旋状を呈してシリンダ体６の原料投入口６２１に対して上方へ移動して開いたり下方へ移動して閉まる往復運動を行う。
【００２６】
また、ボディシャンプー用ノズル装置１００は、押圧ヘッド１の延伸部１３の側部に設けた通気孔１３１を介して外部と通気し、防水部２２に溜まった水が吸入されることを防ぐ。
【００２７】
また、バルブ部材７は、弾性を備えた中空状の螺旋部７１を有し、原料投入口６２１の端部に設けられた係合部７２により、原料投入口６２１を当接させ、第２のシリンダ６２側の端部に設けた貫通孔７３を介して液体をキャビティ９へ流入させる。
【００２８】
また、主杆４２は、細長端部４２４を有する。主杆４２の細長端部４２４が係合部３３へ摺動自在に貫設され、細長端部４２４にスライド４２４１が設けられている。スライド４２４１は、開始定位点４２４２及び終止定位点４２４３を有し、係合部３３がスライド４２４１の開始定位点４２４２から終止定位点４２４３まで摺動する行程は、１回のサックバック行程である。
【００２９】
本実施形態のボディシャンプー用ノズル装置１００は、弾性体５を押圧レバー３の外縁に外嵌させ、液体が押圧レバー３内部の中空管路を介して送られ、バルブ部材７が従来の鋼球でなく、弾性を備えた中空状の螺旋状プラスチック製バルブであるため、金属製物体と化学液体とが接触することを効果的に防いで腐食したり錆たりすることを防ぐことができる上、液体が弾性体５及びバルブ部材７により汚染されることを防ぐこともできる。
【００３０】
図３を参照する。図３は、本考案の一実施形態に係るボディシャンプー用ノズル装置の動作状態を示す断面図である。図３に示すように、本考案の一実施形態に係るボディシャンプー用ノズル装置は、ユーザが押圧ヘッド１に力を加えて下押すると、押圧レバー３と主杆４２とが一緒に上から下方向へかけて変位し、第１のシリンダ６１の内縁管壁に対して生じる摩擦力によりピストン部材４１の変位が止められる。そのため、押圧ヘッド１が下向きに変位すると、圧力によりバルブ部材７が下向きに変位して原料投入口６２１を封止し、この際、主杆４２の係止部４２３とピストン部材４１の当接環部４１１との間に設けられた原料投入口４３が徐々に開かれることにより、キャビティ９内の液体が原料投入口４３から軸方向の案内溝４２２へ流入し、最終的に押圧レバー３により押圧ヘッド１のノズル１１から噴出される。
【００３１】
押圧ヘッド１へ加える力が緩められると、弾性体５を復位させる作用力により、押圧レバー３及び主杆４２が一緒に上方へ変位し、押圧レバー３の係合部３３が徐々に摺動してスライド４２４１の開始定位点４２４２から終止定位点４２４３へ達して係止されると、主杆４２が上方に引き上げられ、第１のシリンダ６１の内縁管壁の摩擦力の作用によりピストン部材４１の変位が止められるため、主杆４２の係止部４２３がピストン部材４１の当接環部４１１に係止されて原料投入口４３が徐々に閉められると、押圧レバー３及び主杆４２が継続的に下から上方向へかけて移動してキャビティ９の体積が増大し、容器１０内の液体が圧力によりバルブ部材７を押し開き、原料投入口６２１を徐々に開いて容器１０内の液体がバルブ部材７からキャビティ９へ流れ、次回のポンピング動作の準備を完了する（図２参照）。
【００３２】
図４を参照する。図４は、本考案の一実施形態に係るボディシャンプー用ノズル装置の防水状態を示す断面図である。図４に示すように、浴室内でボディシャンプー用ノズル装置１００に水がかけられると、本実施形態のボディシャンプー用ノズル装置１００は、防水部２２（本実施形態に係る凹溝）により水が留められ、防水部２２の内壁が密封部材２の外縁より高く、内管部２１及び押圧レバー３は、押圧ヘッド１の延伸部１３で覆われている。ボディシャンプー用ノズル装置１００は、通気孔１３１を介して外部と通気し、防水部２２に溜まった水を吸入することを防ぎ、この構成により、外部の液体及び水が浸入して液体と接触することを効果的に防ぐとともに、容器１０内の液体が変質したり汚染したりすることを防いで防水効果を得る。
【００３３】
図５を参照する。図５は、本考案の一実施形態に係るボディシャンプー用ノズル装置１００の液漏れを防ぐ状態を示す断面図である。図５に示すように、押圧ヘッド１を押下して回転させ、第２の螺着部３１２と第１の螺着部２１１とを螺着させると、テーパ部６３と栓部４２１とが嵌合されて密封状態に形成され、内管部２１の先端縁が突状環面１４１と嵌合されて通気孔１３１を封止して気密状態に形成され、容器１０を不用意に倒すと、容器１０内の液体がボディシャンプー用ノズル装置１００において密封されて気密状態に保たれ、液流路又は間隙から液体が漏れ出ることを防ぐことができる。
【００３４】
図６を参照する。図６は、本考案の一実施形態に係るボディシャンプー用ノズル装置１００の押圧ヘッド１を組み付けるときの状態を示す断面図である。本実施形態に係るボディシャンプー用ノズル装置１００へ押圧ヘッド１を組み付ける過程において、押圧ヘッド１を押下げ、密封部材２の第１の螺着部２１１と押圧レバー３の第２の螺着部３１２とが当接されているため、押圧レバー３を固定させて押圧ヘッド１を容易に組み付けることができる上、加えられる力により押圧ヘッド１が損壊することを防ぐこともできる。
【００３５】
図１０を参照する。図１０は、本考案の一実施形態に係るボディシャンプー用ノズル装置のサックバック行程を示す断面図である。本実施形態のボディシャンプー用ノズル装置１００は、押圧ヘッド１に加える力を緩めると、サックバック行程により押圧レバー３が上方へ変位して主杆４２が短時間停止すると、押圧レバー３の内管道の空間に圧力差が瞬間的に生じ、ノズル１１に残った液体がサックバックされ、ノズル１１内に残った液体が重力により勢いよく流れ出る。
【００３６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３７】
１        押圧ヘッド
２        密封部材
３        押圧レバー
４        ピストンアセンブリ
５        弾性体
６        シリンダ体
７        バルブ部材
８        結合蓋
９        キャビティ
１０      容器
１１      ノズル
１２      第１の結合部
１３      延伸部
１４      嵌合部
２１      内管部
２２      防水部
３１      第１の杆体
３２      第２の杆体
３３      係合部
４１      ピストン部材
４２      主杆
４３      原料投入口
６１      第１のシリンダ
６２      第２のシリンダ
６３      テーパ部
７１      螺旋部
７２      係合部
７３      貫通孔
８１      ネジ山
１００    ボディシャンプー用ノズル装置
１３１    通気孔
１４１    突状環面
２００    従来のノズル装置
２０１    押圧ヘッド
２０２    容器本体
２０３    ピストン
２０４    液流路
２０５    従来の押圧レバー
２０６    スプリング
２１１    第１の螺着部
３１１    第２の結合部
３１２    第２の螺着部
４１１    当接環部
４２１    栓部
４２２    軸方向の案内溝
４２３    係止部
４２４    細長端部
６２１    原料投入口
６２２    吸入管
４２４１  スライド
４２４２  開始定位点
４２４３  終止定位点
【図１】
0003180351.tif 000003
【図２】
0003180351.tif 000004
【図３】
0003180351.tif 000005
【図４】
0003180351.tif 000006
【図５】
0003180351.tif 000007
【図６】
0003180351.tif 000008
【図７】
0003180351.tif 000009
【図８】
0003180351.tif 000010
【図９】
0003180351.tif 000011
【図１０】
0003180351.tif 000012